(57)【要約】      （修正有）【課題】スクロール貼着により、円滑で、均一に力を加えることができ使いやすい、簡易フィルム貼着機を提供する。【解決手段】フィルム貼着機は、支持体取付フレーム３２の中に、支持体５、ガイドレール取付溝４７、ガイドレール２２、スライダ４２、支持板連結部材４１、前回転軸支持板３８及び後回転軸支持板４３を備える。前回転軸支持板の上端には、第１回転軸穴２６及び第１軸受７があり、後回転軸支持板の上端には、第２回転軸穴及び第２軸受３がある。第１軸受と第２軸受が押圧ローラ８を支持し、押圧ローラにはシリコンカバー４が配置される。支持体には第１摺動溝２１、第２摺動溝１７、Ｕ字型ハンドル１が配置され、支持体の上端面には、前摺動溝２０、後摺動溝１８、前摺動リブ１５、後摺動リブ９、固定板１４、第１バネ１６、第２バネ１１、位置決め板１３が配置される。固定板により携帯電話機が固定され、押圧ローラの左右移動によりフィルムを貼着する。【選択図】図１
0003221751.tif 000002
【実用新案登録請求の範囲】
【請求項１】
支持体取付フレームを含み、前記支持体取付フレームの下に底部筐体が配置されており、前記支持体取付フレームの中には支持体が配置されており、
前記支持体の下にはガイドレール取付溝が設けられており、前記ガイドレール取付溝の中には、ガイドレールが配置されており、前記ガイドレールには、前記ガイドレールと協働して摺動するスライダが配置されており、前記スライダの下に支持板連結部材が配置されており、
前記支持板連結部材の前端には、前回転軸支持板が配置されており、前記支持板連結部材の後端には後回転軸支持板が配置されており、前記前回転軸支持板には第１回転軸穴が設けられており、前記第１回転軸穴には第１軸受が配置されており、前記後回転軸支持板には第２回転軸穴が設けられ、前記第２回転軸には第２軸受が配置されており、
前記第１軸受と前記第２軸受とが、押圧ローラ回転軸によって接続されており、前記押圧ローラ上には、シリコンカバーが配置されており、
支持体の前端面には第１摺動溝が設けられており、前記支持体の後端面には第２摺動溝が設けられており、
前記支持体には、開口が下向きのＵ字型ハンドルが取り付けられており、前記Ｕ字型ハンドルの前端と、前記前回転軸支持板とが接続されており、前記Ｕ字型ハンドルの後端と前記後回転軸支持板とが接続されており、
前記支持体の上端面の右前端には、前摺動溝が設けられており、前記支持体の上端面の右後端には、後摺動溝が設けられており、前記前摺動溝の左側には、前摺動リブが配置されており、前記後摺動溝の左側には、後摺動リブが配置されており、前記前摺動リブの右上端と前記後摺動リブの右上端とが、固定板によって接続されており、
前記前摺動溝の右端には第１バネが配置されており、前記後摺動溝の右端には第２バネが配置されており、
前記支持体の上端面の右側には、前記前摺動リブ及び後摺動リブの位置を決める位置決め板が配置されていることを特徴とする簡易フィルム貼着機。
【請求項２】
前記位置決め板の右上角には、斜面が配置されていることを特徴とする請求項１に記載の簡易フィルム貼着機。
【請求項３】
前記支持体取付フレームの左上端に凸起フレームが配置されており、前記支持体取付フレームと凸起フレームは一体成形構造であることを特徴とする請求項２に記載の簡易フィルム貼着機。
【請求項４】
前記ガイドレール前後両側には凹条が設けられており、前記スライダの前後両側には、前記凹条と協働する凸条が設けられていることを特徴とする請求項１に記載の簡易フィルム貼着機。
【請求項５】
前記ガイドレールは、複数の第１ネジによって、前記支持体に固定されていることを特徴とする請求項１に記載の簡易フィルム貼着機。
【請求項６】
前記支持体の上端面の右側には、位置決め板取付溝が設けられ、前記位置決め板は、第２ネジによって前記位置決め板取付溝に固定されていることを特徴とする請求項１に記載の簡易フィルム貼着機。
【請求項７】
前記Ｕ字型ハンドルの前端は、２つの第３ネジによって、前記前回転軸支持板と接続されており、前記Ｕ字型ハンドルの前端には、２つの第１スリーブ取付孔が設けられており、前記第１スリーブ取付孔には、前記第３ネジと協働する第１スリーブが配置されており、
前記Ｕ字型ハンドルの後端は、２つの第４ネジによって、前記後回転軸支持板と接続されており、前記Ｕ字型ハンドルの後端には、２つの第２スリーブ取付孔が設けられており、前記第２スリーブ取付孔には、前記第４ネジと協働する第２スリーブが配置されていることを特徴とする請求項１に記載の簡易フィルム貼着機。
【請求項８】
前記スライダは、第５ネジによって、前記支持板連結部材に固定されており、前記前回転軸支持板と、前記後回転軸支持板とは十字構造を有しており、前記支持板連結部材の前後両端面には、前記十字構造と協働する十字溝が設けられており、
前記前回転軸支持板は、第６ネジによって前記支持板連結部材の前端に固定され、前記後回転軸支持板は、第７ネジによって前記支持板連結部材の後端に固定されていることを特徴とする請求項１に記載の簡易フィルム貼着機。
【請求項９】
前記支持体取付フレームの外壁には、環状装飾溝が設けられており、前記環状装飾溝には、装飾リブが配置されていることを特徴とする請求項１に記載の簡易フィルム貼着機。
【考案の詳細な説明】
【技術分野】
【０００１】
本考案は、電子機器にフィルムを貼着する装置の技術分野に関し、特に簡易フィルム貼着機に関する。
【背景技術】
【０００２】
消費者が、湾曲した携帯電話機の曲面ガラスを保護する方法としては、現在の市場において３種類の方法がある。一つ目は、プラスチック類、例えばＴＰＵ、ＰＵなど柔軟な材料と粘着剤を用いた方法である。しかしこの方法では、滑らかなガラスが覆われ、ガラス素材の触感と比較すると、二世代前の携帯電話機のスクリーンであるＰＭＭＡ+ ＰＣのようにな感じになる。二つ目は熱曲げガラス＋フレーム両面テープとした製品である。このような製品の欠点は、以下の通りである。熱曲げガラスと曲面カバープレートは、縁部だけが両面テープによって貼着されており、接着剤が中途部には存在しないため、空気層が形成される。この空気の屈折によって、消費者には干渉縞が目に入る。更にタッチ操作の感度も損なわれる。三つ目は現在多くの消費者に受け入れられている熱曲げガラス+ＡＢ粘着剤の製品であり、いわゆる全面粘着と言われるものである。このような製品は、タッチ操作の感度が高く、干渉縞がなく、鮮明が向上するという利点がある。しかしながら、使用するＡＢ粘着剤は、厚みが約３３０〜４５０μｍと厚く、熱曲げガラスと携帯電話機の曲面カバープレートには誤差があるため、気泡が自動的に排出されず、押し込む方法でしか排出することができない。このため、一般的には、プラスチックスクレーパーが使用され、手でプラスチックスクレーパーを押し当てて空気を排出する。しかし、押圧力の安定性と押圧力の大きさは一定ではなく、手による操作が困難となるため、気泡が発生しやすく、フィルム貼着効果が低下し、消費者にとっては非常に不都合であり、製品の評価が低下する。
【考案の概要】
【考案が解決しようとする課題】
【０００３】
上記技術的課題に鑑みて、本考案は、不十分なフィルム貼着効果の問題を解決し得る簡易フィルム貼着機を提供することを目的とする。
【課題を解決するための手段】
【０００４】
上記技術的課題を解決するため、本考案技術的解決手段としては、
【０００５】
簡易フィルム貼着機は、支持体取付フレームを含み、前記支持体取付フレームの下には底部筐体が配置されており、前記支持体取付フレームの中に支持体が配置されている。前記支持体の下には、ガイドレール取付溝が設けられており、前記ガイドレール取付溝の中には、ガイドレールが配置されており、前記ガイドレールには、前記ガイドレールと協働して摺動するスライダが配置されており、前記スライダの下には、支持板連結部材が配置されている。前記支持板連結部材の前端には、前回転軸支持板が配置されており、前記支持板連結部材の後端には後回転軸支持板が配置されており、前記前回転軸支持板には第１回転軸穴が設けられており、前記第１回転軸穴には第１軸受が配置されており、前記後回転軸支持板には第２回転軸穴が設けられており、前記第２回転軸には第２軸受が設けられている。前記第１軸受と前記第２軸受とが、押圧ローラを介して、接続されており、前記押圧ローラ上には、シリコンカバーが配置されており、前記支持体の前端面に第１摺動溝が設けられており、前記支持体の後端面に第２摺動溝が設けられている。前記支持体には、開口が下向きのＵ字型ハンドルが配置されており、前記Ｕ字型ハンドルの前端と、前記前回転軸支持板とが接続されており、前記Ｕ字型ハンドルの後端と前記後回転軸支持板とが接続されている。前記支持体の上端面の右前端には、前摺動溝が設けられており、前記支持体の上端面の右後端には、後摺動溝が設けられており、前記前摺動溝の左側に、前摺動リブが配置されており、前記後摺動溝の左側には、後摺動リブが配置されており、前記前摺動リブの右上端と前記後摺動リブの右上端とが、固定板によって接続されている。前記前摺動溝の右端には第１バネが配置されており、前記後摺動溝の右端には第２バネが配置されており、前記支持体の上端面の右側には、前記前摺動リブ及び後摺動リブの位置を決める位置決め板が配置されている。
【０００６】
更に、前記位置決め板の右上角に斜面が配置されている。
【０００７】
更に、前記支持体取付フレームの左上端に凸起フレームが配置されており、前記支持体取付フレームと凸起フレームとは一体成形構造である。
【０００８】
更に、前記ガイドレールの前後両側には凹条が設けられており、前記スライダの前後両側には、前記凹条と協働する凸条が設けられている。
【０００９】
更に、前記ガイドレールは、複数の第１ネジによって、前記支持体に固定されている。
【００１０】
更に、前記支持体の上端面の右側には、位置決め板取付溝が設けられており、前記位置決め板は、第２ネジによって、前記位置決め板取付溝に固定されている。
【００１１】
更に、前記Ｕ字型ハンドルの前端は、２つの第３ネジによって、前記前回転軸支持板と接続されており、前記Ｕ字型ハンドルの前端には、２つの第１スリーブ取付孔が設けられている。前記第１スリーブ取付孔には、前記第３ネジと協働する第１スリーブが配置されており、前記Ｕ字型ハンドルの後端は、２つの第４ネジによって、前記後回転軸支持板と接続されており、前記Ｕ字型ハンドルの後端には、２つの第２スリーブ取付孔が設けられており、前記第２スリーブ取付孔には、前記第４ネジと協働する第２スリーブが配置されている。
【００１２】
更に、前記スライダは、第５ネジによって、前記支持板連結部材に固定されており、前記前回転軸支持板と、前記後回転軸支持板とは十字構造を有しており、前記支持板連結部材の前後両端面には、前記十字構造と協働する十字溝が設けられている。前記後回転軸支持板は、第７ネジによって前記支持板連結部材の後端に固定されている。
【００１３】
更に、前記支持体取付フレームの外壁下縁部には、環状装飾溝が設けられており、前記環状装飾溝に装飾リブが配置されている。
【００１４】
上記の技術的解決手段によれば、支持体取付フレームの中に支持体、ガイドレール及びスライダが配置されているため、固定板によって携帯電話機が固定され、スライダの摺動によって、押圧ローラが左右移動する。このようなスクロール貼り合わせ方法はスムースで、平均的な応力を受けることができ、様々な使用者にとって使いやすく、良好なフィルム貼着効果を得ることができる。
【図面の簡単な説明】
【００１５】
【図１】図１は、本考案の一つの実施例に係る簡易フィルム貼着機の概略構成分解図である。
【図２】図２は、本考案の一つの実施例に係る簡易フィルム貼着機の立体概略構成分解図である。
【考案を実施するための形態】
【００１６】
以下、添付する図面を参照し本考案の実施形態について更に説明する。これらの実施形態についての説明は、本考案への理解を助けるためのもので、本考案を限定するものではない。また、以下で説明する本考案の各実施例における技術的特徴について、互いに矛盾しない限り、互いに組み合わせることができる。
【００１７】
図１及び図２を参照されたい。本考案における簡易フィルム貼着機は、支持体取付フレーム３２を含む。取付フレーム３２の下には、底部筐体３６が配置されている。支持体取付フレーム３２の中には、支持体５が配置されている。支持体５の下には、ガイドレール取付溝４７が設けられている。ガイドレール取付溝４７の中には、ガイドレール２２が配置されている。ガイドレール２２には、ガイドレール２２と協働するスライダ４２が配置されている。スライダ４２の下には、支持板連結部材４１が配置されている。支持板連結部材４１の前端には、前回転軸支持板３８が配置され、支持板連結部材４１の後端には、後回転軸支持板４３が配置されている。前回転軸支持板３８の上端には、第１回転軸穴２６が設けられている。第１回転軸穴２６には、第１軸受７が配置されている。後回転軸支持板４３の上端には、第２回転軸穴が設けられている。第２回転軸穴には第２軸受３が配置されている。押圧ローラ８によって、第１軸受７と第２軸受とが接続されている。押圧ローラ８上には、シリコンカバー４が配置されている。支持体５の前端面には、第１摺動溝２１が設けられている。支持体５の後端面には、第２摺動溝１７が設けられている。支持体５には、開口が下向きのＵ字型ハンドル１が取り付けられている。Ｕ字型ハンドル１の前端と、前回転軸支持板３８とが接続されており、Ｕ字型ハンドル１の後端と、後回転軸支持板４３とが接続されている。支持体５の上端面の右前端には、前摺動溝２０が設けられており、支持体５の上端面の右後端には、後摺動溝１８が設けられている。前摺動溝２０の左側には、前摺動リブ１５が配置されており、後摺動溝１８の左側には、後摺動リブ９が配置されている。前摺動リブ１５の右上端と後摺動リブ９の右上端とが、固定板１４によって接続されている。前摺動溝２０の右端には、第１バネ１６が配置されている。後摺動溝１７の右端には、第２バネ１１が配置されている。支持体５の上端面の右側には、前摺動リブ１５及び後摺動リブ９の位置を決める位置決め板１３が配置されている。
【００１８】
位置決め板１３の前後両端は、前摺動リブ１５と後摺動リブ９を覆っているため、前摺動リブ１５と後摺動リブ９によって携帯電話機のクランプ時、携帯電話機は落下することなく、前摺動リブ１５と後摺動リブ９の取付きにも便利である。支持体５の上端面には、前後に対応する複数の位置決めブロック１０が配置されているので、そこに配置された携帯電話機の滑り落ちを防止できる。底部筐体３６は、第８ネジ３４によって、支持体取付フレーム３２の下に固定されている。底部筐体３６の外端には、第８ネジと対応するシリコンプラグ３５が配置されている。シリコンプラグ３５で、第８ネジ３４を覆うことでき、全体を美しくすることができる。
【００１９】
位置決め板１３の右上角には斜面３１が配置されている。斜面３１によって、押圧ローラ上にあるシリコンカバー４の圧力を緩衝させる。
【００２０】
支持体取付フレーム３２の左上端には、凸起フレーム３０が配置されている。支持体取付フレーム３２と凸起フレーム３０とは、一体成形構造である。これにより全体の構造がより美しくなる。
【００２１】
ガイドレール２２の前後両側には凹条２３が設けられており、スライダ４２の前後両側には、凹条２３と協働して摺動する凸条２５が設けられている。そのため、押圧ローラ８がスムースに前後移動でき、フィルム貼着効果を確保することができる。
【００２２】
ガイドレール２２は、複数の第１ネジ２４によって、支持体５に固定されている。第１ネジ２４は、ランドヘッドタッピングネジであるため、ネジ孔のタッピングのステップを減らすことができ、コストを削減し、生産効率を向上させることができる。
【００２３】
支持体５の上端面の右側には、位置決め板取付溝１９が設けられている。位置決め板１３は、第２ネジ１２によって位置決め板取付溝１９に固定されている。第２ネジ１２は皿ネジであるため、ネジ孔のタッピングのステップを減らすことができ、コストを削減し、生産効率を向上させることができる。位置決め板取付溝１９及び皿ネジ１２を介して、位置決め板１３の突出を防止することができ、携帯電話機の設置が便利でスムースなフィルム貼着が可能となる。
【００２４】
更に、Ｕ字型ハンドル１の前端と、前回転軸支持板３８とが、２つの第３ネジ２８によって接続されている。Ｕ字型ハンドル１の前端には、２つの第１スリーブ取付孔６が設けられている。第１スリーブ取付孔６には、第３ネジ２８と協働する第１スリーブ２７が配置されている。Ｕ字型ハンドル１の後端と、後回転軸支持板４３とが、２つの第４ネジ４６によって接続されている。Ｕ字型ハンドル１の後端には２つの第２スリーブ取付孔２が設けられ、第２スリーブ取付孔２には、第４ネジ４６と協働する第２スリーブ４５が配置されている。第１スリーブ２７及び第２スリーブ４５によって、第３ネジ２８とこれに対応する回転軸支持板との接触摩擦、及び、第４ネジ４６とこれに対応する回転軸支持板との接触摩擦を増大させて、ネジの締め付けを確保する。
【００２５】
スライダ４２は、第５ネジ３９によって、支持板連結部材４１に固定されている。前回転軸支持板３８と、後回転軸支持板４３とは、十字構造を有している。支持板連結部材４１の前後両端面には、十字構造と協働する十字溝４０が設けられている。後回転軸支持板４３は、第７ネジ４４によって前記支持板連結部材の後端に固定されている。十字構造と十字溝４０の協働を介して、前回転軸支持板３８と後回転軸支持板４３のＸ軸方向及びＺ軸方向への移動を保証でき、前回転軸支持板３８及び後回転軸支持板４３の締め付けが確保される。
【００２６】
支持体取付フレーム３２の外壁の下縁部には、環状装飾溝３３が設けられており、環状装飾溝３３には装飾リブ３７が配置されている。装飾リブ３７はフィルム貼着機をより美しくする。
【００２７】
簡易フィルム貼着機のフィルム貼着方法は、以下の手順を含む。
【００２８】
手順１
手をきれいにする。
【００２９】
手順２
クリーニング部品で携帯電話機の表面をきれいにする。
【００３０】
手順３
携帯電話機を固定して、保護シールを剥がす。ガラスフィルムの左端を携帯電話機のスクリーンに貼り付ける一方ガラスフィルムの他部分は貼り付けない。
【００３１】
手順４
簡易フィルム貼着機の固定板１４を引き出して、携帯電話機を置いて固定する。
【００３２】
手順５
ガラスフィルムを携帯電話機のスクリーンに完全に密着させるように、Ｕ字型ハンドル１を押す。貼り付けた後、Ｕ字型ハンドル１を元の位置に戻して、携帯電話機を取り外し、フィルムの貼着が完了する。
【００３３】
Ｕ字型ハンドル１を左右に移動させる過程で、ガラスフィルムに気泡が発生した場合には、ガラスフィルムを引き上げて空気を排出させた後、Ｕ字型ハンドル１を押してガラスフィルムを携帯電話機のスクリーンに密着させる。
【００３４】
上記技術的解決手段によれば、支持体取付フレームの中に支持体、ガイドレール及びスライダが配置されており、固定板によって携帯電話機が固定されるようになっている。また、スライダの摺動によって、押圧ローラを左右移動させることで、フィルムの貼着が実現できる。このようなスクロール貼着方法は円滑に、かつ、均一に力を加えることが可能となるため、様々な使用者にとって使いやすく、良好なフィルム貼着効果を得ることができる。
【００３５】
以上、添付の図面を参照し本考案の実施形態について詳細に説明したが、本考案はこれら実施形態に限定されるものではない。当業者にとって、本考案の原理、及び、精神からから逸脱しない範囲での変更、同等の置換、改良等が本考案の範囲に含まれることは明らかである
【符号の説明】
【００３６】
１  Ｕ字型ハンドル
２  第２スリーブ取付孔
３  第２軸受
４  シリコンカバー
５  支持体
６  第１スリーブ取付孔
７  第１軸受
８  押圧ローラ
９  後摺動リブ
１０  位置決めブロック
１１  第２バネ
１２  第２ネジ
１３  位置決め板
１４  固定板
１５  前摺動リブ
１６  第１バネ
１７  第２摺動溝
１８  後摺動溝
１９  位置決め板の取付溝
２０  前摺動溝
２１  第１摺動溝
２２  ガイドレール
２３  凹溝
２４  第１ネジ
２５  突出リブ
２６  第１軸孔
２７  第１スリーブ
２８  第３ネジ
２９  第６ネジ
３０  凸起フレーム
３１  斜面
３２  支持体取付フレーム
３３  環状装飾溝
３４  第８ネジ
３５  シリコンプラグ
３６  筐体底部
３７  装飾リブ
３８  前回転軸支持板
３９  第５ネジ
４０  十字溝
４１  支持板連結部材
４２  スライダ
４３  後回転軸支持板
４４  第７ネジ
４５  第２スリーブ
４６  第４ネジ
４７  ガイドレールの取付溝
【図１】
0003221751.tif 000003
【図２】
0003221751.tif 000004
【手続補正書】
【提出日】平成31年4月2日(2019.4.2)
【手続補正１】
【補正対象書類名】実用新案登録請求の範囲
【補正対象項目名】請求項１
【補正方法】変更
【補正の内容】
【請求項１】
支持体取付フレームを含み、前記支持体取付フレームの下に底部筐体が配置されており、前記支持体取付フレームの中には支持体が配置されており、
前記支持体の下にはガイドレール取付溝が設けられており、前記ガイドレール取付溝の中には、ガイドレールが配置されており、前記ガイドレールには、前記ガイドレールと協働して摺動するスライダが配置されており、前記スライダの下に支持板連結部材が配置されており、
前記支持板連結部材の前端には、前回転軸支持板が配置されており、前記支持板連結部材の後端には後回転軸支持板が配置されており、前記前回転軸支持板には第１回転軸穴が設けられており、前記第１回転軸穴には第１軸受が配置されており、前記後回転軸支持板には第２回転軸穴が設けられ、前記第２回転軸穴には第２軸受が配置されており、
前記第１軸受と前記第２軸受とが、押圧ローラによって接続されており、前記押圧ローラ上には、シリコンカバーが配置されており、
支持体の前端面には第１摺動溝が設けられており、前記支持体の後端面には第２摺動溝が設けられており、
前記支持体には、開口が下向きのＵ字型ハンドルが取り付けられており、前記Ｕ字型ハンドルの前端と、前記前回転軸支持板とが接続されており、前記Ｕ字型ハンドルの後端と前記後回転軸支持板とが接続されており、
前記支持体の上端面の右前端には、前摺動溝が設けられており、前記支持体の上端面の右後端には、後摺動溝が設けられており、前記前摺動溝の左側には、前摺動リブが配置されており、前記後摺動溝の左側には、後摺動リブが配置されており、前記前摺動リブの右上端と前記後摺動リブの右上端とが、固定板によって接続されており、
前記前摺動溝の右端には第１バネが配置されており、前記後摺動溝の右端には第２バネが配置されており、
前記支持体の上端面の右側には、前記前摺動リブ及び後摺動リブの位置を決める位置決め板が配置されていることを特徴とする簡易フィルム貼着機。
【手続補正２】
【補正対象書類名】明細書
【補正対象項目名】０００５
【補正方法】変更
【補正の内容】
【０００５】
簡易フィルム貼着機は、支持体取付フレームを含み、前記支持体取付フレームの下には底部筐体が配置されており、前記支持体取付フレームの中に支持体が配置されている。前記支持体の下には、ガイドレール取付溝が設けられており、前記ガイドレール取付溝の中には、ガイドレールが配置されており、前記ガイドレールには、前記ガイドレールと協働して摺動するスライダが配置されており、前記スライダの下には、支持板連結部材が配置されている。前記支持板連結部材の前端には、前回転軸支持板が配置されており、前記支持板連結部材の後端には後回転軸支持板が配置されており、前記前回転軸支持板には第１回転軸穴が設けられており、前記第１回転軸穴には第１軸受が配置されており、前記後回転軸支持板には第２回転軸穴が設けられており、前記第２回転軸穴には第２軸受が設けられている。前記第１軸受と前記第２軸受とが、押圧ローラを介して、接続されており、前記押圧ローラ上には、シリコンカバーが配置されており、前記支持体の前端面に第１摺動溝が設けられており、前記支持体の後端面に第２摺動溝が設けられている。前記支持体には、開口が下向きのＵ字型ハンドルが配置されており、前記Ｕ字型ハンドルの前端と、前記前回転軸支持板とが接続されており、前記Ｕ字型ハンドルの後端と前記後回転軸支持板とが接続されている。前記支持体の上端面の右前端には、前摺動溝が設けられており、前記支持体の上端面の右後端には、後摺動溝が設けられており、前記前摺動溝の左側に、前摺動リブが配置されており、前記後摺動溝の左側には、後摺動リブが配置されており、前記前摺動リブの右上端と前記後摺動リブの右上端とが、固定板によって接続されている。前記前摺動溝の右端には第１バネが配置されており、前記後摺動溝の右端には第２バネが配置されており、前記支持体の上端面の右側には、前記前摺動リブ及び後摺動リブの位置を決める位置決め板が配置されている。